(57)【要約】【課題】ベルト及びその周囲の各種構成部品の着脱、組付け及び洗浄が容易で、清潔かつ衛生的に使用・保持可能なベルトコンベアを提供する。【解決手段】ベルトコンベア１は、フレーム本体２と、中心軸に沿った貫通孔３１が設けられたトラフ形キャリアローラ３と、キャリアローラ３上を移動可能なベルト４とを備える。フレーム本体２には、長手方向に延びたロッド２１と、幅方向の一方の側Ｌから該ロッド２１を片持ちで支持しかつ他方の側Ｒからベルト４の着脱を可能とする脚部２２と、が設けられる。ロッド２１には、ロッド２１に接続した基端５ａと、ロッド２１から斜め上方に延びた先端５ｂと、を有した左右一対の傾斜軸５が、長手方向に離間しながら複数箇所に設けられる。各傾斜軸５は、貫通孔３１に先端５ｂを挿通可能とし、かつ、キャリアローラ３を該傾斜軸５に対して着脱・回転自在にすることを特徴とする。【選択図】図１
0003208645.tif 000002
【実用新案登録請求の範囲】
【請求項１】
フレーム本体と、中心軸に沿った貫通孔が設けられたトラフ形キャリアローラと、前記キャリアローラ上を移動可能なベルトと、を備えたベルトコンベアであって、
前記フレーム本体には、長手方向に延びたロッドと、幅方向の一方の側から該ロッドを片持ちで支持しかつ他方の側から前記ベルトの着脱を可能とする脚部と、が設けられ、
前記ロッドには、該ロッドに接続した基端と、該ロッドから斜め上方に延びた先端と、を有した左右一対の傾斜軸が長手方向に離間しながら複数箇所に設けられ、
前記各傾斜軸は、前記貫通孔に前記先端を挿通可能とし、かつ、前記キャリアローラを該傾斜軸に対して着脱・回転自在にすることを特徴とするベルトコンベア。
【請求項２】
前記傾斜軸の傾斜角θが、５°≦θ≦３０°であることを特徴とする請求項１に記載のベルトコンベア。
【請求項３】
前記ロッドの長手方向の下流側にモータ及び該モータによって駆動されるヘッドローラが設けられる一方、上流側には前記ベルトの着脱を助けるよう枢動可能なテールローラが設けられることを特徴とする請求項１又は２に記載のベルトコンベア。
【請求項４】
前記フレーム本体の前記ロッドや前記脚部は中空筒体で形成され、かつ、前記ベルトコンベアの電気配線の少なくとも一部が前記中空筒体の一部に挿通かつ保護されていることを特徴とする請求項１〜３のいずれかに記載のベルトコンベア。
【請求項５】
前記フレーム本体及び前記キャリアローラが防錆性を有した金属から作られていることを特徴とする請求項１〜４のいずれかに記載のベルトコンベア。
【考案の詳細な説明】
【技術分野】
【０００１】
本考案は、ベルトで食品等の被搬送物を搬送するベルトコンベアに関し、特に、ベルトやベルトを駆動する部品等の着脱や組付けが容易でかつ衛生的なベルトコンベアに関する。
【背景技術】
【０００２】
ベルトコンベアは、以前より、工業製品の生産ラインのみならず、食品の生産ラインにも使用されている。ベルトの上面を工業部品や食品原料や中間加工物等の被搬送物が載置され、モータ等の駆動装置によって駆動されたローラから摩擦力及び駆動力を付与されることで、ベルトが駆動されて被搬送物がある工程から次の工程に運搬される。
【０００３】
しかしながら、ベルトコンベアの長期間使用により、ベルトやローラは、摩耗や疲労するだけでなく、生産ライン周囲の油や埃に加え、被搬送物（例えば、食材）から出る汚れによっても不衛生になるのが通常である。従って、ベルトコンベア（特に、食品や工業製品を製造するためのベルトコンベア）は、長期運転を安心して継続させていくためには、これら不衛生になりがちな構成部品の定期的な清掃やメンテナンスが欠かせない。
【０００４】
（先行技術）
そのため、ベルトやローラを簡易に着脱（取外し及び組付け）・交換できる構造を有したベルトコンベアが既に提案されている（特許文献１〜４を参照）。
【０００５】
（先行技術１：テールローラの枢動構造）
一例として、テールローラがコンベア本体に対し上側かつ内側に枢動可能な構造を設けることで、ある程度の張力で張ったベルトを弛緩させ、コンベア本体から簡単に取り外すことが可能となる（特許文献１及び２を参照）。
【０００６】
（先行技術２：フレームの片持ち支持構造）
別例として、コンベア本体のフレームの支持構造を側面視で片持ち構造とすることで、一方の側（片持ち構造の先端側）から、障害物無く、容易にベルトを取り外すことができる（特許文献１及び２を参照）。
【０００７】
（先行技術３：ベルトを駆動する各種ローラ）
ところで、ベルトは、コンベア本体の長手方向の一端にモータによって駆動可能なヘッドローラが設けられ、他端にテールローラが設けられる。ヘッドローラとテールローラとの間には、キャリアローラが複数、長手方向に離間してさらに設けられることで、ベルトひいては被搬送物の上下の振動を抑制することが可能となる。
【０００８】
（トラフ形のキャリアローラ）
これらのキャリアローラには、ベルトの幅方向中央が最も窪んだＶ字状の断面を有するように斜め上方に傾斜した構造を採用したものがあり、トラフ形と呼ばれる（特許文献３及び４を参照）。このようなトラフ形のキャリアローラは、被搬送物をベルト中央に寄せながら搬送できるため、被搬送物の落下を減らすことができるといった利点を有する。
【０００９】
（従来のトラフ形キャリアローラの問題点）
しかしながら、上述のトラフ形キャリアローラの従来の取付構造は、複雑なうえに、これを左右の枠体とともにコンベア本体に一旦、取り付けてしまうと、取外し（つまり、着脱）が容易ではなく、工具などを用いて締結具を除去しなければ、各部材毎に分解することができない。従って、この種のコンベア装置は、長期間の使用により、キャリアローラのみならず、ローラ周囲の構成部材のメンテナンス（着脱、洗浄や交換）もされず、不衛生になりがちであるとともに、装置の故障につながりやすいといった指摘がされていた。
【００１０】
このように、従来のベルトコンベア装置においては、ベルトのみならず、ベルト周囲に設けられた各種構成部品の着脱、組付け及び洗浄が容易であることや、清潔かつ衛生的に使用・保持可能であることが望まれている。
【先行技術文献】
【特許文献】
【００１１】
【特許文献１】実開平０５−０８２９２４号公報
【特許文献２】特開２００４−３５２４０３号公報
【特許文献３】特開平０５−１７８４３７号公報
【特許文献４】特開２０１４−１８５０１１号公報
【考案の概要】
【考案が解決しようとする課題】
【００１２】
本考案は、このような実情に鑑みて提案されたものであり、ベルト及びその周囲の各種構成部品の着脱、組付け及び洗浄が容易で、清潔かつ衛生的に使用・保持可能なベルトコンベアを提供することを目的とする。
【課題を解決するための手段】
【００１３】
本考案者は、鋭意検討した末、ベルト駆動に関連するローラの構造を極力、簡素化するとともに、工具の使用が必須となる締結具等で固定する必要のないローラの新規な軸支・保持構造に想到し、この構造であれば前記課題を解決できることを見出し、本考案を完成するに至った。
【００１４】
すなわち、本考案は、例えば、次の構成・特徴を採用するものである。
（態様１）
フレーム本体と、中心軸に沿った貫通孔が設けられたトラフ形キャリアローラと、前記キャリアローラ上を移動可能なベルトと、を備えたベルトコンベアであって、
前記フレーム本体には、長手方向に延びたロッドと、幅方向の一方の側から該ロッドを片持ちで支持しかつ他方の側から前記ベルトの着脱を可能とする脚部と、が設けられ、
前記ロッドには、該ロッドに接続した基端と、該ロッドから斜め上方に延びた先端と、を有した左右一対の傾斜軸が長手方向に離間しながら複数箇所に設けられ、
前記各傾斜軸は、前記貫通孔に前記先端を挿通可能とし、かつ、前記キャリアローラを該傾斜軸に対して着脱・回転自在にすることを特徴とするベルトコンベア。
（態様２）
前記傾斜軸の傾斜角θが、５°≦θ≦３０°であることを特徴とする態様１に記載のベルトコンベア。
（態様３）
前記ロッドの長手方向の下流側にモータ及び該モータによって駆動されるヘッドローラが設けられる一方、上流側には前記ベルトの着脱を助けるよう枢動可能なテールローラが設けられることを特徴とする態様１又は２に記載のベルトコンベア。
（態様４）
前記フレーム本体の前記ロッドや前記脚部は中空筒体で形成され、かつ、前記ベルトコンベアの電気配線の少なくとも一部が前記中空筒体の一部に挿通かつ保護されていることを特徴とする態様１〜３のいずれかに記載のベルトコンベア。
（態様５）
前記フレーム本体及び前記キャリアローラが防錆性を有した金属から作られていることを特徴とする態様１〜４のいずれかに記載のベルトコンベア。
【考案の効果】
【００１５】
本考案によれば、上述の構成のキャリアローラをフレーム本体へ簡単に着脱可能となる。より具体的には、キャリアローラの貫通孔を傾斜軸へそのまま挿通させるだけで、キャリアローラは、その自重により傾斜軸の基端が接続されたロッドに当接かつ着座するので、キャリアローラの保持・固定に何らの締結具が不要であり、装置の簡素化が図られる。
【００１６】
また、本考案のコンベアは、トラフ形のキャリアローラを採用しているため、そのローラ上を移動するベルトは幅方向中央が最も窪むので、被搬送物をベルト中央に寄せたまま搬送することができる。
【００１７】
また、本考案のフレーム本体のロッドは脚部により片持ち支持されるので、片持ち支持されていない反対側からベルトを着脱することが可能となる。
【００１８】
本考案の好適な態様によれば、ロッドや各種ローラ等の部材が中空筒体を成すために、コンベアの装置全体の軽量化が図られる。さらに、コンベアに使用される各種電気配線の少なくとも一部をこれらの筒体内に挿通すれば、配線を被搬送物の落下による衝撃から保護することができるとともに、塵埃や汚れの付着を防止することもできる。
【００１９】
本考案の好適な態様によれば、ロッドや各種ローラ等の部材が防錆性を有した金属から作られているために、水や洗剤等での丸洗いが可能となる。
【００２０】
さらに、本考案の好適な態様によれば、その他のローラも簡素な構造でフレーム本体への着脱が容易である。
【図面の簡単な説明】
【００２１】
【図１】本考案のベルトコンベアを示した分解斜視図である。
【図２】本考案のベルトコンベアを示した平面図及び正面図並びに平面図中の符号ｃで示した部分を拡大した図である。
【図３】本考案のベルトコンベア及び脚部を示した側面図である。
【図４】試作したロッド及びキャリアローラを示した画像である。
【考案を実施するための形態】
【００２２】
以下、本考案を図面（図１〜図４）に示す実施例に基づき説明するが、本考案は、下記の具体的な実施例に何等限定されるものではない。なお、各図において同一又は対応する要素には同一符号を用いる。
【実施例】
【００２３】
本考案のベルトコンベア１（以下、単に「コンベア」とも呼ぶ。）は、図１〜図３に示すように、フレーム本体２と、中心軸に沿った貫通孔３１が設けられたトラフ形キャリアローラ３と、キャリアローラ３上を移動可能なベルト４と、を備える。フレーム本体２には、長手方向（図示しない被搬送物の流れ方向）に延びた長尺のロッド２１と、幅方向の一方の側（図示では側Ｌ）から該ロッド２１を片持ちで支持し、他方の側（図示では側Ｒ）からベルト４の着脱を可能とする脚部２２と、が設けられる。
【００２４】
次に、主要な構成部品について、より詳しく説明する。
【００２５】
（キャリアローラ）
ロッド２１には、ロッド２１に直に接続した基端５ａと、ロッド２１から斜め上方に延びた先端５ｂと、を有した左右一対の傾斜軸５，５が長手方向に離間しながら複数箇所（図示の例では４箇所）に設けられる。各傾斜軸５は、貫通孔３１に先端５ｂを挿通可能とし、かつ、キャリアローラ３を該傾斜軸５に対して着脱・回転自在にすることを特徴とする。このキャリアローラ３により、ベルト４の移動に従いキャリアローラ３も追随して回転するため、ベルト４（及びこの上の被搬送物）には振動等が発生せず、滑らかな搬送を実現することができる。なお、傾斜軸５の先端５ｂの長手方向の一部に、図示しない段差（例えば、他の部分より外径が縮小した部分）の付いた構成にしても良い。これにより、この傾斜軸５にキャリアローラ３が挿入され、この傾斜したキャリアローラ３にベルト４が更に巻かれて、ベルト４が移動する際にキャリアローラ３がベルト４から幅方向（つまり、キャリアローラ３が傾斜軸５から抜け出る方向）に力を受けたとしても、この段差がキャリアローラ３の貫通孔３１が段差に引っ掛かるように作用する（つまり、抜け止めとなる）。
【００２６】
（キャリアローラの傾斜角）
なお、キャリアローラ３（の傾斜軸３１）の傾斜角θは５°≦θ≦３０°に設定されていることが好ましい（図３（ｂ）中に示した符号θも参照）。これにより、ベルト４に過度な負荷やねじれを与えることなく、被搬送物をベルト４の幅方向中央に寄せながら被搬送物を流れ方向に運搬できる。
【００２７】
（フレーム本体の脚部）
フレーム本体２は、上述のとおり、ロッド２１とこれを支持する脚部２２とを少なくとも備える。脚部２２は、図示の例では、水平部２２ａ１の一端と垂直部２２ａ２の一端とが結合されたＬ字状を成す第１脚部２２ａを有する。この水平部２２ａ１の他端はロッド２１の周壁に接続され、かつ、垂直部２２ａ２の他端が台座として機能する。なお、図示の例では、脚部２２は、ロッド２１の長手方向の両端位置に接続されるが、ロッド２１が長くなる場合には、ロッド２１の両端位置に加え、その中間の幾つかの位置にも脚部２２を設けても良い。
【００２８】
また、脚部２２は、水平部２２ｂ１の一端と垂直部２２ｂ２の一端とが結合されたＬ字状を成す第２脚部２２ｂを有する。この水平部２２ｂ１の他端は第１脚部２２ａの垂直部２２ａ２に接続され、かつ、垂直部２２ｂ２の他端が台座として機能する。
【００２９】
（キャスターの追加）
また、第１・第２脚部２２ａ，２２ｂの各垂直部２２ａ２，２２ｂ２の他端の下側に、さらに、キャスター２２ｄを取り付けても良く、これにより、生産工程や工場レイアウトの変更に際して、本考案のコンベア１の移動や再設置が容易となる。加えて、第１・第２脚部２２ａ，２２ｂの垂直部２２ａ２，２２ｂ２同士を連結する補強脚部２２ｃを設けてもよく、これにより、各脚部２２の強度及び剛性が増し、フレーム本体２の設置が安定したものとなる。なお、キャスター２２ｄに替えて（又は、付加して）、脚部２２の高さを調節可能なレベルアジャスター２２ｅを設けても良く（図２（ｂ）を参照）、これにより、ひいてはベルト４の長手方向の水平度を適切に設定・保持できる。
【００３０】
（ヘッド部（下流側）の装置構成）
ロッド２１（つまり、コンベア１）の長手方向の下流側のヘッド部Ｈには、モータ６及び該モータ６によって駆動されるヘッドローラ７、並びにこれらを保持する下流側枠体２３が設けられる。図示の具体例では、下流側枠体２３は、本体２３ａとその本体２３ａの両端に設けられた張出し部２３ｂとからなるコの字状を成し、ヘッドローラ７を収容する。図示の例では、本体２３ａの中央位置の外側面にロッド２１の一端（下流側端部）２１ａが当接・接合する。
【００３１】
（モータ）
モータ６の本体６ａは、筐体６ｂに収容されており、筐体６ｂとともに枠体２３の一方の張出し部２３ｂによって吊持されるとともに、ヘッドローラ７に接続される。従って、モータ６の動力（回転力）がヘッドローラ７に伝達可能となる。なお、本体６ａに防水仕様の構造を採用した場合には、筐体６ｂの設置が不要となる場合もある。
【００３２】
（モータの設置）
なお、モータ６の本体６ａが収容されている筐体６ｂは、ロッド２１を片持ち構造で支持する第１脚部２２ａの側Ｌに配置されている。これにより、図３（ａ）に示すように、ベルト４の側面視では、第１脚部２２ａ（片持ち支持）側Ｌにのみ構成部材が集まり、第１脚部２２ａ等が配置されないロッド２１の反対側Ｒには、障害物の無い開放された空間が形成されるため、当該反対側Ｒよりベルト４の取外しが容易となる。
【００３３】
（操作盤及び電気配線）
このような取外し等の便宜から、当該反対側Ｒが、通常、図示しない作業者がコンベア１での作業時にアクセスする操作側Ｒとなる。従って、操作側Ｒから離れて置かれたモータ６を操作するために、操作盤１０（例えば、電源の切入スイッチやモータ回転速度を調節するためのインバータが搭載）を操作側Ｒに設置し、この操作盤１０とモータ本体６ａとを電気配線１１で接続するようにしてもよい。これにより、コンベア１の操作性が格段に向上する。
【００３４】
（フレーム本体の軽量化）
なお、ロッド２１や脚部２２は中空筒体で形成されていることが好ましい（図４も参照）。これにより、コンベア１の装置全体の軽量化が図られる。なお、図４の（ａ）は、実際に試作したロッド２１の一部の切断面を示し、図４の（ｂ）は、ロッド２１に設けられた傾斜軸５にキャリアローラ３を差し込んだ状態を示す。
【００３５】
（電気配線の保護）
さらに、コンベア１への電気配線１１（例えば、上述の操作盤１０からモータ６へ信号を送るための配線や図示しない電源からモータ６へ電力を供給するための配線であって、以下、単に「配線」とも呼ぶ。）の少なくとも一部が、ロッド２１や脚部２２の中空筒体に挿通かつ保護されていることが好ましい（図３（ａ）を参照）。これにより、コンベア１を長期間使用しても、コンベア１周囲の塵埃、被搬送物やベルト４から落下した汚れが電気配線１１上に落下したり、付着したりすることを極力減らすことができ、一旦汚れると掃除がしにくい電気配線１１を長期間清潔に保つことができるようになる。また、予期しない被搬送物の落下からも恒常的に保護されることとなり、これによる衝撃を受けることが殆どない。
【００３６】
（テール部（上流側）の装置構成）
一方、コンベア１の上流側には、ベルト４の着脱を助けるよう可動するテールローラ８を含んだテール部Ｔが設けられる。テール部Ｔは、上流側枠体２４と可動ブラケット２５とをさらに備える。図示の例では、上流側枠体２４は、本体２４ａと、その本体２４ａの両端に設けられた張出し部２４ｂと、からなるコの字状を成す。本体２４ａの中央位置の外側面にロッド２１の他端（上流側端部）２１ｂが当接・接合する。
【００３７】
一対の張出し部２４ｂの内側には、一対の可動ブラケット２５が更に外側（上流側）に延長するように設置されている。張出し部２４ｂの間には枢動ピン２６も連結されており、それぞれの可動ブラケット２５の一端もこの枢動ピン２６に連結される（図２（ｃ）参照）。一方、可動ブラケット２５の他端には、テールローラ８が回転自在に保持される。これにより、可動ブラケット２５は、枢動ピン２６を基点として枢動可能となり、テールローラ８を矢印の方向に移動できるようになる。また、可動ブラケット２５は、互いに、左右両側に亘って延びた棒材２７によって支持・連結されている。
【００３８】
（ベルトの固定・取外しを容易にするための補助装置）
さらに、テール部Ｔには、固定ピン２８を設けても良い（図２（ｃ）参照）。これにより、コンベア１の使用中は、固定ピン２８でもってテールローラ８を水平かつ堅固に保持できる。また、さらに、可動ブラケット２５は、図１に示すように、一方の側に、第１側板２５ａと、この第１側板２５ａに重ね合わされた第２側板２５ｂと、で構成されるようにしてもよく、これらの第１・第２側板２５ａ，２５ｂ間にテンション調節用ネジ２９を設けても良い（図２（ｃ）参照）。このテンション調節用ネジ２９でもって、可動ブラケット２５の長さを調節し、テールローラ８に巻回されたベルト４に適切なテンションを付与することが可能となる。
【００３９】
また、テール部Ｔには、可動ブラケット２５を付勢する（例えば、他端を上方に押す力を付与する）図示しない付勢装置を設けても良い。これにより、固定ピン２８を取り外した際に、可動ブラケット２５及びこれに水平に保持されたテールローラ８が弧を描くように自動的に跳ね上がり、これにより、ベルト４も弛緩するため、その後のベルト４の取外しが容易となる。
【００４０】
また、図１や図２（ｂ）に示すように、ヘッドローラ７の下方にスナップローラ９ａを設けても良く、テールローラ８の下方にリターンローラ９ｂを設けても良い。これにより、ベルト４は、ヘッドローラ７と、キャリアローラ３と、テールローラ８と、リターンローラ９ｂと、スナップローラ９ａとによって保持される。ベルト４の一部は、モータ６によって駆動されたヘッドローラ７の胴部に面接触して摩擦力を受けることにより、ベルト４全体が上述の各ローラ３，７，８，９ａ，９ｂの周囲を周回することになり、この稼働状態のベルト４の上面に図示しない被搬送物を載置すれば、コンベア１の流れ方向に（上流側から下流側へ、図２（ｂ）中の白抜き矢印方向に）運搬できるようになる。
【００４１】
（スナップローラやリターンローラの着脱構造）
図示の例では、スナップローラ９ａやリターンローラ９ｂの回転軸９ａ１，９ｂ１の両端を、上部が開放した凹部で回転自在に保持する軸受板１２ａ，１２ｂが第２脚部２２ｂの水平部２２ｂ１の上方に立設するように取り付けられる。この構成により、ベルト４の取外しの際に、上述のキャリアローラ３に加え、スナップローラ９ａやリターンローラ９ｂも簡単に取外し（着脱）が容易となる。
【００４２】
（フレーム本体やローラの材質）
フレーム本体２を構成する各部材（例えば、ロッド２１）及びローラ（例えば、キャリアローラ３、スナップローラ９ａやリターンローラ９ｂ）が防錆性を有した金属（例えば、ステンレス、図４に示す試作品も参照）から作られていることが好ましい。これにより、上述のように簡単に取り外すことができた各部材を水や洗剤を使って、丸洗いすることができるので、雑菌等の発生を防ぎ、衛生的な状態を容易に長続きさせることができる。
【００４３】
（下流側枠体と上流側枠体とを置換可能な好適な構成）
また、コンベア１の下流側及び上流側に設けられた下流側枠体２３と上流側枠体２４とを同一の寸法と形状にし、かつ、それぞれの張出し部２３ｂ，２４ｂに設けられる貫通孔２３ｃ，２４ｃも同一の寸法と形状に設定しておくことが望ましい。これにより、ヘッドローラ７モータ６など、当初ヘッド部Ｈ側に設けられた部品をテール部Ｔ側に付け直し、テールローラ８や可動ブラケット２５など、当初テール部Ｔ側に設けられた部品をヘッド部Ｈ側に付け直すことができるようになる。このように部品の付け直しを可能とする好適な構成を実現することにより、コンベア１の設置場所を殆ど変えることなく、被搬送物の流れ方向を簡単に逆転させることが可能となる。
【産業上の利用可能性】
【００４４】
本考案のベルトコンベアによれば、以上のように構成されているため、ベルト及びその周囲の各種構成部品の着脱、組付け及び洗浄が容易で、清潔かつ衛生的に使用・保持することができる。また、本考案のベルトコンベアは、上述したように、装置の簡素化・軽量化（ローラ等を回転・保持するための締結具やブラケットを極力削減）、被搬送物の落下や振動の防止、メンテナンス性や使い勝手の向上など、様々な長所を発揮する。
【００４５】
このように、本考案のベルトコンベアは産業上の利用価値及び利用可能性が非常に高い。
【符号の説明】
【００４６】
１    ベルトコンベア（コンベア）
２    フレーム本体
３    キャリアローラ
４    ベルト
５    傾斜軸
５ａ，５ｂ    傾斜軸の基端，先端
６    モータ
６ａ    モータ本体
６ｂ    筐体
７    ヘッドローラ
８    テールローラ
９ａ    スナップローラ
９ｂ    リターンローラ
１０    操作盤
１１    電気配線
１２ａ，１２ｂ    軸受板
２１    ロッド
２１ａ，２１ｂ    ロッドの端部
２２    脚部
２２ａ    第１脚部
２２ａ１    第１脚部の水平部
２２ａ２    第１脚部の垂直部
２２ｂ    第２脚部
２２ｂ１    第２脚部の水平部
２２ｂ２    第２脚部の垂直部
２２ｃ    補強脚部
２２ｄ    キャスター
２２ｅ    レベルアジャスター
２３    下流側枠体
２３ａ    下流側枠体の本体
２３ｂ    下流側枠体の張出し部
２３ｃ    下流側枠体の貫通孔
２４    上流側枠体
２４ａ    上流側枠体の本体
２４ｂ    上流側枠体の張出し部
２４ｃ    上流側枠体の貫通孔
２５    可動ブラケット
２５ａ，２５ｂ    可動ブラケットの第１・第２側板
２６    枢動ピン
２７    棒材
２８    固定ピン
２９    テンション調節用ネジ
３１    キャリアローラの貫通孔
Ｈ    ヘッド部
Ｔ    テール部
Ｌ    ロッド（ベルト）の一側（片持ち支持側）
Ｒ    ロッド（ベルト）の他側（操作側、ベルト着脱側）
θ    キャリアローラ（傾斜軸）の傾斜角
【図２】
0003208645.tif 000003
【図３】
0003208645.tif 000004
【図４】
0003208645.tif 000005
【図１】
0003208645.tif 000006